【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
ユーザデバイスを通じてターゲットの地理的状態を決定する方法であって、
対応する時間値とともに標準のリファレンスフレームにおいて位置データを提供するように構成されたターゲットデバイスに関連付けられた少なくとも１つのターゲットを識別することと、
少なくとも１つのターゲットについての地理的状態情報へのアクセスのための要求を送ることと、
前記少なくとも１つのターゲットに関連する地理的状態情報を受け取ることと、
前記地理的状態情報に基づいて前記少なくとも１つのターゲットの視覚的識別子を生成することと、ここにおいて、前記視覚的識別子は、前記少なくとも１つのターゲットの、以前の位置、速度、もしくは向きのエイジ、または現在の位置、速度、もしくは向きのパーシステンスを示し、ここにおいて、前記視覚的識別子は、前記ユーザデバイスに機能的に結合されたイメージングセンサによってキャプチャされたデータに関連付けられる、
を備える、方法。
【請求項２】
前記視覚的識別子は、動的であり、前記地理的状態情報に基づいて変化する、請求項１に記載の方法。
【請求項３】
前記視覚的識別子を前記生成することは、
前記少なくとも１つのターゲットの履歴の視覚的識別子を生成すること、ここにおいて、前記視覚的識別子は、ある時間期間にわたる前記ターゲットデバイスの複数のロケーションを表す複数の視覚的識別子を備える、
をさらに備える、請求項１に記載の方法。
【請求項４】
前記少なくとも１つのターゲットが指定されたロケーションの半径内にあるかどうかを決定することと、
前記少なくとも１つのターゲットが前記半径内にあるときにだけ、前記少なくとも１つのターゲットの前記視覚的識別子を表示することと、
をさらに備え、好ましくは、
前記地理的状態情報に基づいてアラートを設定すること、ここにおいて、前記アラートは、テキストメッセージ、ポップアップメッセージ、および／または可聴アラートを備える、
をさらに備える、請求項１に記載の方法。
【請求項５】
視覚的識別子を前記生成することは、
前記イメージングセンサの視野内のビデオデータを収集することと、
前記地理的状態情報に基づいて前記少なくとも１つのターゲットの前記視覚的識別子を前記ビデオデータと結合することと、
をさらに備え、好ましくは、
前記ビデオデータは、前記ユーザデバイスの向きが変化するときに収集され、好ましくは、
前記結合することは、
前記少なくとも１つのターゲットが前記イメージングセンサの前記視野内にないときに、前記地理的状態情報に基づいて前記ビデオデータ上に前記少なくとも１つのターゲットの前記視覚的識別子をオーバーレイすることをさらに備える、
請求項１に記載の方法。
【請求項６】
視覚的識別子を前記生成することは、
前記イメージングセンサの視野内の静止画像データを収集することと、
前記地理的状態情報に基づいて前記少なくとも１つのターゲットの前記視覚的識別子を前記静止画像データと結合することと、
をさらに備え、好ましくは、
前記静止画像データは、前記ユーザデバイスの向きが変化するときに収集され、好ましくは、
前記結合することは、
前記少なくとも１つのターゲットが前記イメージングセンサの前記視野内にないときに、前記地理的状態情報に基づいて前記静止画像データ上に前記少なくとも１つのターゲットの前記視覚的識別子をオーバーレイすることをさらに備える、
請求項１に記載の方法。
【請求項７】
前記イメージングセンサおよび前記ユーザデバイスは、物理的に分離されていて、ネットワークを通じて機能的に結合され、および／または、
前記視覚的識別子のサイズは、リファレンスへの近接度に基づき、および／または、
対話することは、テキストメッセージを送ること、音声コールを行うこと、ビデオ会議を行うこと、または前記少なくとも１つのターゲットとゲームを開始することを備え、および／または、
前記少なくとも１つのターゲットは、表示のためにサードパーティメンバーのバディリストから選択され、参加者を制限するオプションと、サードパーティメンバーを区別するために前記サードパーティメンバーのクラスを異なる形で表示する、あるいは前記バディリストのメンバーが発見されおよび／または表示されるときに異なるアラートを有するオプションとを含む、請求項１に記載の方法。
【請求項８】
前記少なくとも１つのターゲットの前記視覚的識別子を選択することと、
前記選択に関連する前記少なくとも１つのターゲットと対話することと、
をさらに備え、および／または、
時間に基づいて前記少なくとも１つのターゲットの前記視覚的識別子の外観を変化させることをさらに備える、請求項１に記載の方法。
【請求項９】
前記少なくとも１つのターゲットは、ゲームをプレイすることを通じて前記ユーザデバイスと対話し、好ましくは、
かくれんぼのゲームをプレイすること、ここにおいて、前記ゲームは、所定の時間が満了するまでターゲットの表示なしに始まり、探し手は、隠れたターゲットを見つけるためにエリアをスキャンすることができ、ここにおいて、隠れたターゲットは、常に前記探し手を見ることができ、さらに、ここにおいて、前記探し手は、近接範囲内のターゲットを表示し、そうすると、表示されたターゲットに関連付けられたユーザは、「見つけられた」として通知を受ける、
をさらに備え、好ましくは、
前記探し手によってターゲットが見つけられないエリアを指定するジオフェンスを確立することをさらに備える、請求項１に記載の方法。
【請求項１０】
ターゲットのロケーションの視覚的識別を生成する移動局であって、
対応する時間値とともに標準のリファレンスフレームにおいて位置データを提供するように構成されたターゲットデバイスに関連付けられた少なくとも１つのターゲットを識別する手段と、
少なくとも１つのターゲットについての地理的状態情報へのアクセスのための要求を送る手段と、
前記少なくとも１つのターゲットに関連する地理的状態情報を受け取る手段と、
前記地理的状態情報に基づいて前記少なくとも１つのターゲットの視覚的識別子を生成する手段と、ここにおいて、前記視覚的識別子は、前記少なくとも１つのターゲットの、以前の位置、速度、もしくは向きのエイジ、または現在の位置、速度、もしくは向きのパーシステンスを示し、ここにおいて、前記視覚的識別子は、前記ユーザデバイスに機能的に結合されたイメージングセンサによってキャプチャされたデータに関連付けられる、
を備える、移動局。
【請求項１１】
複数のターゲットについて追跡情報を提供する方法であって、
複数のターゲットデバイスから、対応する時間値とともに、標準のリファレンスフレームにおいて位置データを受け取ることと、
前記位置データおよび前記対応する時間値に基づいて地理的状態情報を生成することと、ここにおいて、前記地理的状態情報は、前記複数のターゲットデバイスのうちの少なくとも１つのターゲットの、以前の位置、速度、もしくは向きのエイジ、または現在の位置、速度、もしくは向きのパーシステンスを示し、
前記少なくとも１つのターゲットについて前記地理的状態情報へのアクセスのための要求をユーザデバイスから受け取ることと、
前記少なくとも１つのターゲットの前記地理的状態情報に関連するユーザのアクセスパーミッションを決定することと、
前記要求に基づいて前記ユーザデバイスに前記少なくとも１つのターゲットの前記地理的状態情報を提供することと、
を備え、
ここにおいて、前記ユーザデバイスは、前記少なくとも１つのターゲットの前記地理的状態情報に基づいて前記少なくとも１つのターゲットの視覚的識別子を生成し、前記視覚的識別子は、前記少なくとも１つのターゲットの、以前の位置、速度、もしくは向きのエイジ、または現在の位置、速度、もしくは向きのパーシステンスを示す、
方法。
【請求項１２】
地理的状態情報を提供することは、
前記地理的状態情報を定期的にアップデートすること
をさらに備え、および／または、
前記地理的状態情報は、位置、速度、リファレンスに対する向き、またはそれらのいずれかの組合せ、ならびにそれらに関連づけられた時間値を備える、請求項１１に記載の方法。
【請求項１３】
前記少なくとも１つのターゲットが指定されたロケーションの半径内にあるかどうかを決定することをさらに備える、請求項１１に記載の方法。
【請求項１４】
複数のターゲットについて追跡情報を提供するサーバであって、
複数のターゲットデバイスから、対応する時間値とともに、標準のリファレンスフレームにおいて位置データを受け取る手段と、
前記位置データおよび前記対応する時間値に基づいて地理的状態情報を生成する手段と、ここにおいて、前記地理的状態情報は、前記複数のターゲットデバイスのうちの少なくとも１つのターゲットの、以前の位置、速度、もしくは向きのエイジ、または現在の位置、速度、もしくは向きのパーシステンスを示し、
前記少なくとも１つのターゲットについて前記地理的状態情報へのアクセスのための要求をユーザデバイスから受け取る手段と、
前記少なくとも１つのターゲットの前記地理的状態情報に関連するユーザのアクセスパーミッションを決定する手段と、
前記要求に基づいて前記ユーザデバイスに前記少なくとも１つのターゲットの前記地理的状態情報を提供する手段と、
を備え、
ここにおいて、前記ユーザデバイスは、前記少なくとも１つのターゲットの前記地理的状態情報に基づいて前記少なくとも１つのターゲットの視覚的識別子を生成し、前記視覚的識別子は、前記少なくとも１つのターゲットの、以前の位置、速度、もしくは向きのエイジ、または現在の位置、速度、もしくは向きのパーシステンスを示す、
サーバ。
【請求項１５】
プロセッサによって実行されたときにコンピュータに動作を実行させる命令を備える、非一時的なコンピュータ可読媒体であって、前記命令は、
請求項１〜９、または１１〜１３のいずれか一項に記載の方法を実行するための命令を備える、非一時的なコンピュータ可読媒体。